(57)【要約】【課題】  フィルタアセンブリの取り替えが不要な集塵袋を有しない電気掃除機を提供する。【解決手段】  集塵袋を有しない電気掃除機は、ブラシと；吸込力を発生する駆動モーターと；前記駆動モーターが装着され、フィルタ装着口が形成されている掃除機本体と；一端が前記フィルタ装着口と連通し、他端が前記ブラシに連結されている塵埃吸込管と；前記ブラシ及び前記塵埃吸込管を通って前記掃除機本体に吸い込まれる外部空気からゴミ及び塵埃等を分離し、前記フィルタ装着口に装着されているフィルタアセンブリ；及び前記フィルタアセンブリに組み付けられ、前記フィルタ装着口への前記フィルタアセンブリの挿脱を容易にし、前記掃除機本体にロックされる本体カバーとを含む。【選択図】      図２ 
2004305702.tif 000002
【特許請求の範囲】
【請求項１】
ブラシと；
吸込力を発生する駆動モーターと；
前記駆動モーターが装着され、フィルタ装着口が形成されている掃除機本体と；
一端が前記フィルタ装着口と連通し、他端が前記ブラシに連結されている塵埃吸込管と；
前記ブラシ及び前記塵埃吸込管を通って前記掃除機本体に吸い込まれる外部空気からゴミ及び塵埃等を分離し、前記フィルタ装着口に装着されているフィルタアセンブリと；
前記フィルタアセンブリに組み付けられ、前記フィルタ装着口への前記フィルタアセンブリの挿脱を容易にし、前記掃除機本体にロックされる本体カバーとを含むことを特徴とする集塵袋を有しない電気掃除機。
【請求項２】
前記フィルタアセンブリは、
開口が形成されているフィルタハウジングと；
前記フィルタハウジングに装着される第１のフィルタユニットと；
前記フィルタハウジングと前記第１のフィルタユニットとの間に形成される空間に装着される第２のフィルタユニットとを含むことを特徴とする請求項１に記載の集塵袋を有しない電気掃除機。
【請求項３】
前記フィルタハウジングは、前記本体カバーに設けられる掛止リング、及び前記第１のフィルタユニットが装着されていない状態では前記フィルタハウジングの前記フィルタ装着口への装着が不可能にする安全レバーが具備されていることを特徴とする請求項２に記載の集塵袋を有しない電気掃除機。
【請求項４】
前記フィルタハウジングは、前記開口を開閉する開口蓋体を更に具備することを特徴とする請求項２または３に記載の集塵袋を有しない電気掃除機。
【請求項５】
前記第２のフィルタユニットは、
第２のフィルタと；
前記第２のフィルタを保持する第２のフィルタホルダーと；
前記第２のフィルタホルダーを取り囲んでいるフィルタ網とを含むことを特徴とする請求項２に記載の集塵袋を有しない電気掃除機。
【請求項６】
前記第１のフィルタユニットは、第１のフィルタ及び前記第１のフィルタを保持する第１のフィルタホルダーを含むことを特徴とする請求項２に記載の集塵袋を有しない電気掃除機。
【請求項７】
ブラシと；
吸込力を発生する駆動モーターと；
前記駆動モーターが装着され、フィルタ装着口が形成されている掃除機本体と；
一端が前記フィルタ装着口と連通し、他端が前記ブラシに連結されている塵埃吸込管と；
前記塵埃吸込管に設けられ、吸い込まれる空気を回転させて空気からゴミを分離するサイクロン集塵装置と；
前記フィルタ装着口に装着され、フィルタハウジング、第１のフィルタユニット及び第２のフィルタユニットを具備し、前記ブラシ及び前記塵埃吸込管を通って前記掃除機本体に吸い込まれる外部空気からゴミ及び塵埃等を捕捉するフィルタアセンブリと；
前記フィルタアセンブリに係止する第１のフック乃至第３のフックと、前記フィルタ装着口への前記フィルタアセンブリの挿脱を容易にするための本体カバーの取っ手が具備されている本体カバーとを含むことを特徴とする集塵袋を有しない電気掃除機。
【請求項８】
前記本体カバーの取っ手には前記掃除機本体にロックされる少なくとも１つのフックを備え、前記掃除機本体には前記フックに係合する溝が形成されていることを特徴とする請求項７に記載の集塵袋を有しない電気掃除機。
【請求項９】
前記フィルタアセンブリは、安全レバーを具備していることを特徴とする請求項７に記載の集塵袋を有しない電気掃除機。
【請求項１０】
前記フィルタアセンブリの前記フィルタハウジングは、前記塵埃吸込管と連通する開口及び前記開口を開閉する開口蓋体を具備していることを特徴とする請求項７または８に記載の集塵袋を有しない電気掃除機。
【請求項１１】
前記フィルタアセンブリの前記フィルタハウジングは、前記本体カバーの第１のフックに掛止する掛止リングを具備し、前記第２のフック及び第３のフックに係合する複数の係止突部を有することを特徴とする請求項７に記載の集塵袋を有しない電気掃除機。
【請求項１２】
ブラシと；
吸込力を発生する駆動モーターと；
前記駆動モーター、フィルタガイドを具備しているフィルタ装着口を含む掃除機本体と；
一端が前記フィルタ装着口と連通し、他端が前記ブラシに連結されている塵埃吸込管と；
前記塵埃吸込管に設けられ、吸い込まれる空気を回転させて空気からゴミを分離するサイクロン集塵装置と；
前記フィルタ装着口に装着され、第１のフィルタユニット及びこの第１のフィルタユニットが装着されるフィルタハウジングを具備するフィルタアセンブリと；
前記フィルタアセンブリ及び前記掃除機本体に着脱自在であり、本体カバーの取っ手を具備する本体カバーとを含むことを特徴とする集塵袋を有しない電気掃除機。
【請求項１３】
前記本体カバーの取っ手には、前記掃除機本体にロックされる複数のフックを備え、前記掃除機本体には、前記フックに係合する複数の溝が形成されていることを特徴とする請求項１２に記載の集塵袋を有しない電気掃除機。
【請求項１４】
前記フィルタアセンブリは、一側に掃除道具が装着可能なロッカー及び保持突起を具備していることを特徴とする請求項１２に記載の集塵袋を有しない電気掃除機。
【発明の詳細な説明】
【技術分野】
【０００１】
本発明は、電気掃除機に関し、より詳しくは、集塵フィルタの取り替えが不要であり、且つ塵埃及びゴミを徹底して捕捉することができるのみならず、塵埃の取り払い及びフィルタの掃除が簡易な集塵袋を有しない電気掃除機に関する。
【背景技術】
【０００２】
従来、電気掃除機は、図１に示すように、掃除機本体２０１、フレキシブルホース２１０、及び延長管２１２、スイッチ２２０が具備された作動把手部２２１、ブラシ２３０を含む。
【０００３】
掃除機本体２０１の内部には、吸込力を発生するモーター（図示せず）、フィルタ収納室２０４、集塵紙袋２０５、本体カバー２０３、及びホイール２０２を具備している。通常、前記モーターは、掃除機本体２０１の後方に装着され、本体カバー２０３には、吸い込まれる空気が通れるように吸気口２０６が形成されている。また、フィルタ収納室２０４は、掃除機本体２０１の前方に形成され、ここに集塵紙袋２０５を装着する。ホイール２０２は、掃除機本体２０１の移動を自由自在にするために、通常、一対で設けられることが好ましい。
【０００４】
フレキシブルホース２１０の一端は、吸気口２０６と連通し、他端は、作動把手部２２１に連結される。作動把手部２２１には、ユーザの掃除機のオン／オフが選択可能なスイッチ２２０が設けられている。延長管２１２は、一端が作動把手部２２１に連結され、他端がブラシ２３０に連結される。ブラシ２３０は、掃除すべき床面に密着して外部空気と共にゴミなどを吸い込むようになる。
【０００５】
このようにして吸い込まれた外部空気は、延長管２１２及びフレキシブルホース２１０を通って掃除機本体２０１に流れ込まれる。流れ込まれた外部空気は、集塵紙袋２０５を通りながらゴミや塵埃等が分離され、清浄化した空気だけが前記モーターを通って掃除機本体２０１の外に排出されるようになる。
【０００６】
かかる従来の電気掃除機では、消耗品である集塵紙袋２０５を使用することにより、周期的に集塵紙袋２０５を取り替えなければならないという不便があり、集塵紙袋２０５による一回のフィルタリングにより塵埃を捕捉するといった仕組みであるため、塵埃やゴミの多い所ではフィルタリングが十分に行われないという不具合がある。
【０００７】
また、前述した従来の電気掃除機では、集塵紙袋２０５を取り替えようとする時、掃除機本体２０１の本体カバー２０３を片手でオープンした状態でもう片手で集塵紙袋２０５を取り外してから新しい集塵紙袋を装着しなければならない。仮に、本体カバー２０３が分離自在であるとしても、まず、本体カバー２０３を取り出した後、使用済みの集塵紙袋２０５を取り外してから新しい集塵紙袋を装着しなければならないという不便がある。
【０００８】
更に、集塵紙袋の入口２０７と本体カバー２０３の吸気口２０６とが正確に一致しているか否かの確認が容易でないため、ユーザが集塵紙袋２０５をフィルタ収納室２０４に間違って装着し、集塵紙袋の入口２０７と吸気口２０６とが合わない場合には、フィルタリングが行われないのみならず、塵埃やゴミ等がフィルタ収納室２０４に溜まるようになり、掃除機の故障につながりかねないという不具合がある。
【発明の開示】
【発明が解決しようとする課題】
【０００９】
そこで、本発明は、前記のような問題点を解決するためになされたものであって、その目的は、フィルタアセンブリの取り替えが不要な集塵袋を有しない電気掃除機を提供することである。
【００１０】
本発明の他の目的は、塵埃と共に吸い込まれる外部空気を数回にわたってフィルタリングすることにより、より十分に塵埃及びゴミが分離可能な集塵袋を有しない電気掃除機を提供することである。
【００１１】
本発明の更なる目的は、不完全なフィルタアセンブリの組込み状態で掃除機が稼動するおそれがなく、フィルタアセンブリの着脱が容易な集塵袋を有しない電気掃除機を提供することである。
【課題を解決するための手段】
【００１２】
前記した目的を達成するために本発明の電気掃除機は、ブラシと；吸込力を発生する駆動モーターと；前記駆動モーターが装着され、フィルタ装着口が形成されている掃除機本体と；一端が前記フィルタ装着口と連通し、他端が前記ブラシに連結されている塵埃吸込管と；前記ブラシ及び前記塵埃吸込管を通って前記掃除機本体に吸い込まれる外部空気からゴミ及び塵埃等を分離し、前記フィルタ装着口に装着されているフィルタアセンブリと；前記フィルタアセンブリに組み付けられ、前記フィルタ装着口への前記フィルタアセンブリの挿脱を容易にし、前記掃除機本体にロックされる本体カバーとを含むことを特徴とする。
【００１３】
前記フィルタアセンブリは、開口が形成されているフィルタハウジングと；前記フィルタハウジングに装着される第１のフィルタユニットと；前記フィルタハウジングと前記第１のフィルタユニットとの間に形成される空間に装着される第２のフィルタユニットとを含むことが好ましく、前記フィルタハウジングは、前記本体カバーに設けられる掛止リングと、前記第１のフィルタユニットが装着されていない状態では前記フィルタハウジングの前記フィルタ装着口への装着が不可能にする安全レバーが具備されていることが良い。
【００１４】
また、前記フィルタハウジングは、前記開口を開閉する開口蓋体を更に具備し、前記第２のフィルタユニットは、第２のフィルタと；前記第２のフィルタを保持する第２のフィルタホルダーと；前記第２のフィルタホルダーを取り囲んでいるフィルタ網とを含むように構成することが良い。
【００１５】
なお、前記第１のフィルタユニットは、第１のフィルタ及び前記第１のフィルタを保持する第１のフィルタホルダーを含む。
【００１６】
また、前記した目的を達成するための本発明の集塵袋を有しない電気掃除機は、ブラシと；吸込力を発生する駆動モーターと；前記駆動モーターが装着され、フィルタ装着口が形成されている掃除機本体と；一端が前記フィルタ装着口と連通し、他端が前記ブラシに連結されている塵埃吸込管と；前記塵埃吸込管に設けられ、吸い込まれる空気を回転させて空気からゴミを分離するサイクロン集塵装置と；前記フィルタ装着口に装着され、フィルタハウジング、第１のフィルタユニット及び第２のフィルタユニットを具備し、前記ブラシ及び前記塵埃吸込管を通って前記掃除機本体に吸い込まれる外部空気からゴミ及び塵埃等を捕捉するフィルタアセンブリと；前記フィルタアセンブリに係止する第１のフック乃至第３のフックと、前記フィルタ装着口への前記フィルタアセンブリの挿脱を容易にするための本体カバーの取っ手が具備されている本体カバーとを含むように構成することができる。
【００１７】
前記本体カバーの取っ手には、前記掃除機本体にロックされる少なくとも１つのフックを備え、前記掃除機本体には、前記フックに係合する溝が形成されていることが好ましく、前記フィルタアセンブリは、不完全に組込まれたフィルタアセンブリが前記フィルタ装着口に装着できないようにする安全レバーを具備することが好ましい。
【００１８】
また、前記フィルタアセンブリの前記フィルタハウジングは、前記塵埃吸込管と連通する開口及び前記開口を開閉する開口蓋体、及び前記本体カバーの第１のフックに掛止する掛止リングを具備し、前記第２のフック及び第３のフックに係合する複数の係止突部を有することがより好ましい。
【００１９】
また、本発明の集塵袋を有しない電気掃除機は、ブラシと；吸込力を発生する駆動モーターと；前記駆動モーター、フィルタガイドを具備しているフィルタ装着口を含む掃除機本体と；一端が前記フィルタ装着口と連通し、他端が前記ブラシに連結される塵埃吸込管と；前記塵埃吸込管に設けられ、吸い込まれる空気を回転させて空気からゴミを分離するサイクロン集塵装置と；前記フィルタ装着口に装着され、第１のフィルタユニット及びこの第１のフィルタユニットが装着されるフィルタハウジングを具備するフィルタアセンブリと；前記フィルタアセンブリ及び前記掃除機本体に着脱自在であり、本体カバーの取っ手を具備する本体カバーとを含むことを特徴として構成することができる。
【００２０】
なお、前記本体カバーの取っ手には、前記掃除機本体にロックされる複数のフックを備え、前記掃除機本体には、前記フックに係合する複数の溝が形成され、前記フィルタアセンブリは、一側に掃除道具が装着可能なロッカー及び保持突起を具備していることが好ましい。
【発明の効果】
【００２１】
本発明の実施の形態に係る集塵袋を有しない電気掃除機は、サイクロン集塵装置、第１のフィルタユニット、及び第２のフィルタユニットを含むフィルタアセンブリによる三重のフィルタリングによりフィルタリング効果を極大化することができる。
【００２２】
また、本発明は、フィルタアセンブリを半永久的に使用できるため、フィルタを取り替えるといった不便がなく、フィルタ取り替え費用が節約できるという長所がある。
【００２３】
更にまた、本発明の集塵袋を有しない電気掃除機は、フィルタハウジングに安全装置を具備することにより、フィルタアセンブリの組み立てが不完全な状態ではフィルタ装着口に装着不可能になるため、フィルタリングが不完全になるおそれがない。
【００２４】
更に、本発明の集塵袋を有しない電気掃除機は、本体カバーとフィルタアセンブリが結合され、本体カバーに取っ手が具備されているため、ユーザがフィルタアセンブリを容易に着脱することができ、フィルタアセンブリを手で扱う必要がないため、フィルタアセンブリの着脱の際にゴミや塵埃等によりユーザの手が汚れるおそれがない。
【００２５】
また、本発明は、フィルタアセンブリを装着する際、フィルタハウジングに形成された開口を開口蓋体で自動開閉し、ガイド部材の案内に沿ってフィルタアセンブリを着脱するため、装着時には、フィルタの開口と吸気口とが正確に一致するようになり、フィルタアセンブリの取り外し時には、塵埃やゴミ等が飛び出して周りを汚すおそれがない。
【発明を実施するための最良の形態】
【００２６】
図２は、本発明の集塵袋を有しない電気掃除機を概略的に示す斜視図である。本発明の集塵袋を有しない電気掃除機は、本体１００、フィルタアセンブリ１５０、フレキシブルホース１８０、サイクロン集塵装置１９０、延長管１８５、ブラシ１８７、及び把手部１８２を含む。フレキシブルホース１８０と延長管１８５は、外部の塵埃を本体に搬送させる通路の役割を果たし、塵埃吸込管を構成する。
【００２７】
本体１００は、本体カバー１２０、ホイール１０９、及び駆動モーター（図示せず）を含み、フィルタ装着口１０１が形成されている。本体カバー１２０は、本体カバー取っ手１２１を具備しており、本体カバー１２０とフィルタアセンブリ１５０とが結合されたものを、この本体カバー取っ手１２１を用いてフィルタ装着口１０１に挿入したり、そこから取り外す。フィルタ装着口１０１には、フィルタアセンブリ１５０が装着される。延長管１８５、ブラシ１８７、スイッチ１８３を具備した把手部１８２及びフレキシブルホース１８０は、前述した従来の技術のそれと同じ構成であるため、その詳述を省く。
【００２８】
図３は、前記フィルタアセンブリを各構成要素別に分解して示す分解斜視図であり、図４は、図３のＩＶ−ＩＶ線に沿って切断した図である。また、図５は、図３のＶ−Ｖ線に沿って切断したフィルタハウジングと第１のフィルタホルダーとの結合を側面から見た拡大図であり、図６は、前記フィルタアセンブリの不完全な組立によりフィルタの装着が不可能である場合を説明するための平面図である。
【００２９】
図から分かるように、フィルタアセンブリ１５０（図２参照）は、フィルタハウジング１５２、第１のフィルタユニット１７０、及び第２のフィルタユニット１６０を含む。フィルタハウジング１５２は、下段部に安全レバー１５３が設けられ、上段部には、掛止リング１５４が設けられている。また、一側面に外部空気が吸い込まれる開口１５５が形成され、第１のフィルタユニット１７０と当接する両側面には、複数の係止孔１５２ａが形成されている。
【００３０】
第１のフィルタユニット１７０は、第１のフィルタ１７１及び第１のフィルタホルダー１７２を含む。第１のフィルタ１７１は、ギャザーフィルタからなり、第１のフィルタホルダー１７２により保持されている。第１のフィルタホルダー１７２の両側面には、フィルタハウジング１５２の係止孔１５２ａと係合する複数の係止突起１７２ａが形成されている。
【００３１】
第２のフィルタユニット１６０は、第２のフィルタ１６１及び第２のフィルタホルダー１６２を含み、第２のフィルタ１６１は、通常、スポンジからなる。第２のフィルタホルダー１６２は、複数のウィンドウ１６３を構成しており、このウィンドウは、網状のフィルタ網体１６４で塞がっている。
【００３２】
このように構成されたフィルタアセンブリ１５０は、第２のフィルタユニット１６０を介して第１フィルタユニット１７０の係止突起１７２ａとフィルタハウジング１５２の係止孔１５２ａとが係合してなり、本体のフィルタ装着口１０１（図２または図６参照）に装着される。しかし、フィルタアセンブリ１５０の組立が不完全になっているか、またはフィルタハウジング１５２に第１のフィルタユニット１７０が組み付けられていない状態では、安全レバー１５３が、図６に示すように、フィルタアセンブリ１５０の一側に突出し、この突出した安全レバー１５３がフィルタ装着口１０１の一側壁にかかり、フィルタアセンブリ１５０が挿入できなくなる。即ち、安全レバー１５３は、フィルタアセンブリ１５０の完全な組立を保障する役割を果たす。
【００３３】
より詳しい説明のために、図４及び図５に示された安全レバー１５３の具体的な構成及び組み立て過程をみてみる。
【００３４】
安全レバー１５３は、図４の拡大図から分かるように、掛かり突起１５３ａを具備し、掛かり突起１５３ａは、フィルタハウジング１５２に形成されている長孔１５６に挿入されており、図５に示すＣ矢印の方向にフィルタハウジング１５２に第１のフィルタユニット１７０が組み付けられる時、第１のフィルタホルダー１７２によりフィルタハウジング１５２の内側に安全レバー１５３と共に入っていく。
【００３５】
このようにしてフィルタアセンブリ１５０が完璧に組み立てられている場合には、安全レバー１５３がフィルタハウジング１５２の内側に入っていくことでフィルタ装着口１０１への挿入が可能となるが、フィルタアセンブリ１５０の組み立てに問題がある場合には挿入されない。従って、フィルタアセンブリ１５０が装着された後、不完全な組み立てによりフィルタリングが不完全になることは発生しない。
【００３６】
図７乃至図９は、フィルタアセンブリ１５０がフィルタ装着口１０１に挿入される過程を説明するための図であって、図７は、フィルタアセンブリ１５０の挿入前の形態を、図９は、フィルタアセンブリ１５０の挿入後の形態を、図８は、フィルタ装着口１０１の内部構造を示す。
【００３７】
図７から分かるように、フィルタアセンブリ１５０は、本体カバー１２０と結合され、フィルタ装着口１０１に挿脱される。かかる本体カバー１２０及びフィルタアセンブリ１５０の装着構造については後述し、ここでは、このように装着された状態でフィルタ装着口１０１に挿入される動作を説明する。
【００３８】
ユーザは、本体カバー１２０に具備されている本体カバーの取っ手１２１（図２参照）を把持し、図７に示された本体のフィルタ装着口１０１に形成されている第１のガイド部材１０３の内側にフィルタアセンブリ１５０に形成されている第２のガイド部材１５２ｂが摺動するようにして挿入する。フィルタ装着口１０１への装着前の状態にあるフィルタアセンブリ１５０のフィルタハウジング１５２に設けられている開口蓋体１５８は、図７に示すように、ばね１５９の弾性力により開口１５５を塞いでいる状態である。
【００３９】
このようにフィルタアセンブリ１５０を挿入する過程において、開口蓋体１５８の下端がフィルタ装着口１０１の一側に形成されているシール部材１０２（図８参照）の上端に掛かり、ばね１５９の弾性力の方向と逆方向に、即ち、図９に示すＤ矢印方向に開口蓋体１５８を持ち上げることでフィルタハウジング１５２の開口１５５を開状態にして装着される。このようにして装着されると、フィルタハウジング１５２の開口１５５と本体１００の吸気口１０４（図８参照）が正確に一致してフレキシブルホース１８０（図２参照）と連通するようになる。
【００４０】
また、ユーザがフィルタアセンブリ１５０を掃除するために前記本体カバーの取っ手１２１を把持してフィルタアセンブリ１５０を本体１００のフィルタ装着口１０１から取り外す時は、装着する時と逆に、シール部材１０２と開口蓋体１５８との当接部分が離れつつ、ばね１５９の弾性力により開口蓋体１５９が自動でフィルタアセンブリ１５０の開口１５５を塞ぐ（図７参照）。
【００４１】
従って、ユーザが特に気を配らなくてもフィルタアセンブリ１５０を装着する時は、第１のガイド部材１０３と第２のガイド部材１５２ｂとが噛み合うようにして装着さえすれば、自然としてフィルタアセンブリ１５０の開口１５５と本体１００の吸気口１０４とが一致するようになる。また、フィルタアセンブリ１５０を掃除するためにフィルタ装着口１０１から取り外す時も、ユーザが本体カバーの取っ手１２１を把持して持ち上げることだけで、自動的に開口蓋体１５８が開口１５５を塞ぐため、フィルタアセンブリ１５０の内部に溜まっているゴミや塵埃が外に飛び出ることがない。
【００４２】
図１０乃至図１２は、本発明の集塵袋を有しない電気掃除機のフィルタアセンブリ１５０と本体カバー１２０との組み立て状態及び過程を説明するための図であって、図１０は、本体カバー１２０とフィルタハウジング１５２との組み立て手段を説明するための本体カバー１２０及びフィルタハウジング１５２を示す斜視図であり、図１１及び図１２は、フィルタハウジング１５２と本体カバー１２０が組み立て及び分離される過程を示す図である。
【００４３】
図１０に示すように、本体カバー１２０の下段に第１のフック乃至第３のフック１２２、１２３、１２４が設けられている。第１のフック１２２は、下段の一側中央部にあり、第２のフック１２３及び第３のフック１２４は、向かい側の両側に一定間隔を隔てて設けられている。第１のフック１２２は、図示したＸ矢印方向に弾性ばね（図示せず）により付勢されている状態である。また、前述したように、フィルタハウジング１５２の上段には、掛止リング１５４が形成されており、一側面の上段の両側には、複数の係止突部１５７が形成されている。
【００４４】
また、図１０から分かるように、フィルタハウジング１５２の一側面には、フィルタの掃除の際に使用する掃除道具が装着可能な保持突起３０２及び複数のロッカー３０１が形成されている。同図では、はけ３００を例示している。
【００４５】
図１１は、本体カバー１２０とフィルタハウジング１５２が組み立てられた状態を示す図である。同図から分かるように、第２のフック及び第３のフック１２３、１２４を複数の係止突部１５７に噛み合うように位置した状態で、Ｆ矢印方向に本体カバー１２０をフィルタハウジング１５２に対し押し付けると、図１１に示すように掛止リング１５４に第１のフック１２２が掛止する。
【００４６】
ユーザが本体カバー１２０からフィルタハウジング１５２を取り外したい場合は、図１２に示されたＧ矢印方向に第１のフック１２２を持ち上げると、本体カバー１２０とフィルタハウジング１５２とを分離することができる。
【００４７】
このように、容易に着脱が可能に本体カバー１２０とフィルタハウジング１５２を構成することにより、ユーザは、本体カバーの取っ手１２１を用いてフィルタアセンブリ１５０をフィルタ装着口１０１に挿入及びそこから取り外すことができる。従って、塵埃やゴミ等によりユーザの手が汚れるおそれがない。
【００４８】
図１３は、本発明に係る掃除機本体１００を示す図であって、本体カバー１２０に形成されている本体カバーの取っ手１２１の本体１００への組み付け関係を説明するための斜視図である。同図から分かるように、前記本体カバーの取っ手１２１の両側面には、第４のフック１０５及び第５のフック１０６が形成されており、これに対応する本体１００の位置に２つの溝１０７が形成されている。即ち、フィルタアセンブリ１５０を装着した後、本体カバー１２０に具備された本体カバーの取っ手１２１を押すと、第４及び第５のフック１０５、１０６は、複数の溝１０７に挿入されつつ係合する。
【００４９】
このように本体カバーの取っ手１２１と本体１００とが結合されることにより、本発明の掃除機の使用時に本体１００が揺れても本体カバー１２０が本体１００から離脱することがない。
【００５０】
以上、添付図面を参照しながら本発明に係る集塵袋を有しない電気掃除機の好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【図面の簡単な説明】
【００５１】
【図１】従来の技術の電気掃除機の斜視図である。
【図２】本発明の集塵袋を有しない電気掃除機の斜視図である。
【図３】本発明の集塵袋を有しない電気掃除機の構成要素であるフィルタアセンブリの分解斜視図である。
【図４】図３のフィルタアセンブリの構成要素であるフィルタハウジングをＩＶ−ＩＶ線に沿って切断した図であって、安全レバーの構成を説明するための斜視図である。
【図５】図３のＶ−Ｖ線に沿って切断したフィルタハウジングと第１のフィルタユニットとの結合状態を示す部分斜視図である。
【図６】本発明の集塵袋を有しない電気掃除機のフィルタアセンブリが不完全に組み立てられた状態で本体のフィルタ装着口への装着を試みる状態を示す平面図である。
【図７】本発明の電気掃除機の構成要素であるフィルタアセンブリが前記フィルタ装着口に挿入される過程を説明するための図であって、前記フィルタアセンブリを前記フィルタ装着口に挿入する前の形態を示す図である。
【図８】前記フィルタ装着口の内部構造を示す部分斜視図である。
【図９】前記フィルタアセンブリを前記フィルタ装着口に挿入した後の前記フィルタアセンブリの状態を示す斜視図である。
【図１０】本発明の集塵袋を有しない電気掃除機のフィルタアセンブリと本体カバーとの組み立て状態及び過程を説明するための図であって、本体カバーとフィルタハウジングとの組み立て手段を説明するための本体カバー及びフィルタハウジングを示す斜視図である。
【図１１】前記フィルタハウジングと前記本体カバーが組み立て及び分離される過程を示す概略図である。
【図１２】前記フィルタハウジングと前記本体カバーが組み立て及び分離される過程を示す概略図である。
【図１３】本発明の電気掃除機の本体カバーに具備された取っ手と前記本体との結合を説明するための図であって、本体カバーが装着された本体の斜視図を示す。
【符号の説明】
【００５２】
１００  本体
１０１  フィルタ装着口
１０２  シール部材
１０３  第１のガイド部材
１０４  吸気口
１０５  第４のフック
１０６  第５のフック
１０７  溝
１０９  ホイール
１２０  本体カバー
１２１  本体カバーの取っ手
１２２〜１２４  第１乃至第３のフック
１５０  フィルタアセンブリ
１５２  フィルタハウジング
１５２ａ  係止孔
１５２ｂ  第２のガイド部材
１５３  安全レバー
１５３ａ  掛かり突起
１５４  掛止リング
１５５  開口
１５６  長孔
１５７、１７２ａ  係止突起
１５８  開口蓋体
１５９  ばね
１６０  第２のフィルタユニット
１６１  第２のフィルタ
１６２  第２のフィルタホルダー
１６３  ウィンドウ
１６４  フィルタ網体
１７０  第１のフィルタユニット
１７１  第１のフィルタ
１７２  第１のフィルタホルダー
１８０  フレキシブルホース
１８２  把手部
１８３  スイッチ
１８５  延長管
１８７  ブラシ
１９０  サイクロン集塵装置
３００  はけ
３０１  ロッカー
【図１】
2004305702.tif 000003
【図２】
2004305702.tif 000004
【図３】
2004305702.tif 000005
【図４】
2004305702.tif 000006
【図５】
2004305702.tif 000007
【図６】
2004305702.tif 000008
【図７】
2004305702.tif 000009
【図８】
2004305702.tif 000010
【図９】
2004305702.tif 000011
【図１０】
2004305702.tif 000012
【図１１】
2004305702.tif 000013
【図１２】
2004305702.tif 000014
【図１３】
2004305702.tif 000015